(57)【要約】本発明は、移動通信システムで伝送されるデータに依存する時間的に不連続的なバーストパイロットチャネルを送信するための装置であって、少なくとも一つの位相及び複素チャネルを決定する情報ビットに応答して入力パイロットチャネルデータを少なくとも一つの決定された位相で及び複素チャネル上に出力することによりパイロット変調シンボルを発生する変調器１０と、前記変調器から前記パイロット変調シンボルを入力し、複数の直交符号中、選択された直交符号に前記パイロット変調シンボルを拡散する拡散器２０とを備えて、前記バーストパイロットチャネルは前記少なくとも一つの位相、複素チャネル及び直交符号によって前記伝送されるデータに依存する付加情報を伝送することを特徴とする。
2004512728.tif 000002
【特許請求の範囲】
【請求項１】
移動通信システムで伝送されるデータに依存する時間的に不連続的なバーストパイロットチャネルを送信するための装置において、
少なくとも一つの位相及び複素チャネルを決定する情報ビットに応答して入力パイロットチャネルデータを少なくとも一つの決定された位相で及び複素チャネル上に出力することによりパイロット変調シンボルを発生する変調器と、
前記変調器から前記パイロット変調シンボルを入力し、複数の直交符号中、選択された直交符号に前記パイロット変調シンボルを拡散する拡散器と
を備えて、
前記バーストパイロットチャネルは前記少なくとも一つの位相、複素チャネル及び直交符号によって前記伝送されるデータに依存する付加情報を伝送することを特徴とする装置。
【請求項２】
前記パイロット変調シンボルは、１２８チップの長さを有することを特徴とする請求項１に記載の装置。
【請求項３】
前記パイロット変調シンボルは、６４チップの長さを有することを特徴とする請求項１に記載の装置。
【請求項４】
前記複素チャネルは、Ｉチャネル及びＱチャネルに構成されることを特徴とする請求項１に記載の装置。
【請求項５】
移動通信システムでバーストパイロットチャネルを通じて付加情報を伝送するための装置において、
位相を決定する情報ビットに応答して入力パイロットチャネルデータを決定された位相で出力することによりパイロット変調シンボルを発生する変調器と、
前記変調器からのパイロット変調シンボルを予め設定された直交符号に拡散する拡散器と
を含むことを特徴とする装置。
【請求項６】
移動通信システムでバーストパイロットチャネルを通じて付加情報を伝送するための装置において、
複素チャネルを決定する情報ビットに応答して入力パイロットチャネルデータを決定された複素チャネル上に出力することによりパイロット変調シンボルを発生する変調器と、
前記変調器からのパイロット変調シンボルを予め設定された直交符号に拡散する拡散器と
を含むことを特徴とする装置。
【請求項７】
移動通信システムでバーストパイロットチャネルを通じて付加情報を伝送するための装置において、
バーストパイロットシンボルを発生する変調器と、
前記バーストパイロットシンボルを複数の直交符号中、情報ビットにより選択された直交符号に拡散する拡散器と
からなることを特徴とする装置。
【請求項８】
移動通信システムでバーストパイロットチャネルを通じて付加情報を伝送するための装置において、
位相を決定する情報ビットに応答して入力パイロットチャネルデータを決定された位相で出力することによりパイロット変調シンボルを発生する変調器と、
前記パイロット変調シンボルを複数の直交符号中、情報ビットにより選択された直交符号に拡散する拡散器と
からなることを特徴とする装置。
【請求項９】
移動通信システムでバーストパイロットチャネルを通じて付加情報を伝送するための装置において、
複素チャネルを決定する情報ビットに応答して入力パイロットチャネルデータを決定された複素チャネル上に出力することによりパイロット変調シンボルを発生する変調器と、
前記パイロット変調シンボルを複数の直交符号中、情報ビットにより選択された直交符号に拡散する拡散器と
からなることを特徴とする装置。
【請求項１０】
移動通信システムで伝送されるデータに依存する時間的に不連続的なバーストパイロットチャネルを送信するための方法において、
少なくとも一つの位相及び複素チャネルを決定する情報ビットに応答して入力パイロットシンボルを少なくとも一つの決定された位相で及び複素チャネル上に出力することによりパイロット変調シンボルを発生する過程と、
前記パイロット変調シンボルを複数の直交符号中、選択された直交符号に拡散する過程と
を備えて、
前記バーストパイロットチャネルは前記位相及び／または複素チャネル及び直交符号によって前記伝送されるデータに依存する付加情報を伝送することを特徴とする方法。
【請求項１１】
前記パイロット変調シンボルは、１２８チップの長さを有することを特徴とする請求項１０に記載の方法。
【請求項１２】
前記パイロット変調シンボルは、６４チップの長さを有することを特徴とする請求項１０に記載の方法。
【請求項１３】
前記複素チャネルは、Ｉチャネル及びＱチャネルに構成されることを特徴とする請求項１０に記載の前記方法。
【請求項１４】
移動通信システムでバーストパイロットチャネルを通じて付加情報を伝送するための方法において、
位相を決定する情報ビットに応答して入力パイロットシンボルを決定された位相で出力することによりパイロット変調シンボルを発生する過程と、
前記発生されたパイロット変調シンボルを予め設定された直交符号に拡散する過程と
を含むことを特徴とする方法。
【請求項１５】
移動通信システムでバーストパイロットチャネルを通じて付加情報を伝送するための方法において、
複素チャネルを決定する情報ビットに応答して入力パイロットシンボルを決定された複素チャネル上に出力することによりパイロット変調シンボルを発生する過程と、
前記発生されたパイロット変調シンボルを予め設定された直交符号に拡散する過程と
を含むことを特徴とする方法。
【請求項１６】
移動通信システムでバーストパイロットチャネルを通じて付加情報を伝送するための方法において、
パイロットシンボルを発生する過程と、
前記発生されたパイロットシンボルを複数の直交符号中、情報ビットにより選択された直交符号に拡散する過程と
からなることを特徴とする方法。
【請求項１７】
移動通信システムでバーストパイロットチャネルを通じて付加情報を伝送するための方法において、
位相を決定する情報ビットに応答して入力パイロットシンボルを決定された位相で出力することによりパイロット変調シンボルを発生する過程と、
前記発生されたパイロット変調シンボルを複数の直交符号中、情報ビット入力信号により選択された直交符号に拡散する過程と
からなることを特徴とする方法。
【請求項１８】
移動通信システムでバーストパイロットチャネルを通じて付加情報を伝送するための方法において、
複素チャネルを決定する情報ビットに応答して入力パイロットシンボルを決定された複素チャネル上に出力することによりパイロット変調シンボルを発生する過程と、
前記発生されたパイロット変調シンボルを複数の直交符号中、情報ビットにより選択された直交符号に拡散する過程と
からなることを特徴とする方法。
【発明の詳細な説明】
【０００１】
【発明の属する技術分野】
本発明は移動通信システムに関するもので、特にパイロットチャネル（ｐｉｌｏｔ ｃｈａｎｎｅｌ）を通じて情報を伝送するための装置及び方法に関する。
【０００２】
【従来の技術】
最近、高速データ伝送が要求されつつ、音声サービスだけではなく、高速パケットデータサービスを支援するための移動通信システムが提案されている。前記高速パケットデータ伝送を支援する移動通信システムは、送信端でパケットデータをＱＡＭ（Ｑｕａｄｒａｔｕｒｅ Ａｍｐｌｉｔｕｄｅ Ｍｏｄｕｌａｔｉｏｎ）変調して送信し、時間的に連続的な共通パイロット（ｃｏｍｍｏｎ ｐｉｌｏｔ）チャネルと時間的に不連続的なバーストパイロット（ｂｕｒｓｔ ｐｉｌｏｔ）チャネルなどを送信する。
【０００３】
一般的に、ＱＰＳＫ（Ｑｕａｄｒａｔｕｒｅ Ｐｈａｓｅ Ｓｈｉｆｔ Ｋｅｙｉｎｇ）のような位相変調方式は、変調シンボルの位相成分に情報が含まれている。従って、受信側では共通パイロットチャネルを位相基準信号に利用して変調シンボルを復調している。しかし、ＱＡＭ変調方式は変調シンボルの振幅及び位相成分に情報が含まれている。例えば、前記高速データ伝送を支援するシステムでパケットデータ伝送のため、１６−ＱＡＭ、または６４−ＱＡＭなどの変調方式を使用する場合、受信端で変調シンボルに含まれている情報量を正確に復調するためには、復調シンボルの振幅基準（Ａｍｐｌｉｔｕｄｅ ｒｅｆｅｒｅｎｃｅ）が必要である。そのため、変調シンボルの位相基準及び振幅基準になる信号をすべて伝送すべきである。即ち、送信端で一定の電力量にデータを伝送するＱＡＭ変調方式を使用する場合、共通パイロットチャネルを位相及び振幅基準に共に使用することができるが、伝送される電力量が特定周期ごとに変化する場合、伝送ＱＡＭ変調シンボルの振幅基準を提供する基準信号が必要である。前記ＱＡＭ変調シンボルの振幅基準を提供するために、前記バーストパイロットチャネルを使用する。即ち、前記バーストパイロットチャネルはＱＡＭ変調シンボルの振幅のみを提供するために使用される。一般的に、移動通信システムは制限された無線資源を効果的に使用するのが一番重要である。従って、複合的な機能を遂行する多くのチャネルが提案されている。前記バーストパイロットチャネルは変調シンボルの振幅基準を提供するために使用されているが、付加的に他の情報を提供することができると、すでに割り当てられているチャネルを使用するとの点で制限された資源を効果的に使用することができる方案になるだろう。
【０００４】
【発明が解決しようとする課題】
従って、本発明の目的は、変調シンボルの振幅基準を提供するバーストパイロットチャネルを利用して付加情報を伝送するための装置及び方法を提供することにある。
【０００５】
本発明の他の目的は、変調シンボルの振幅基準を提供するバーストパイロット変調シンボルの位相成分を利用して付加情報を伝送するための装置及び方法を提供することにある。
【０００６】
本発明のさらに他の目的は、変調シンボルの振幅基準を提供するバーストパイロット変調シンボルの出力複素チャネルを利用して付加情報を伝送するための装置及び方法を提供することにある。
【０００７】
本発明のさらに他の目的は、変調シンボルの振幅基準を提供するバーストパイロット変調シンボルの拡散符号を利用して付加情報を伝送するための装置及び方法を提供することにある。
【０００８】
【課題を解決するための手段】
前記目的を達成するための本発明は、移動通信システムで伝送されるデータに依存する時間的に不連続的なバーストパイロットチャネルを送信するための装置を提供する。前記装置は、位相及び／または複素チャネルを決定する情報ビット入力信号に応答して入力パイロットシンボルを決定された位相で及び／または複素チャネル上に生成することによりパイロット変調シンボルを発生する変調器と、前記変調器からの前記パイロット変調シンボルを入力し、複数の直交符号中、選択された直交符号に前記パイロット変調シンボルを拡散する拡散器とを備えて、前記バーストパイロットチャネルは前記位相及び／またはチャネル及び直交符号によって前記伝送されるデータに依存する付加情報を伝送することを特徴とする。
【０００９】
【発明の実施の形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００１０】
以下、説明される本発明はＱＡＭ変調方式を利用してデータを伝送する時、ＱＡＭ変調シンボルを復調するために必要とする変調シンボルの振幅基準（Ａｍｐｌｉｔｕｄｅ ｒｅｆｅｒｅｎｃｅ）を提供するバーストパイロットチャネルを通じて付加情報を伝送するためのものである。前記付加情報はパケットデータ伝送に必要な情報として、例えば次のように使用される。
【００１１】
一番目、相異なる多数個のパケットデータを一つのパケットデータ使用者に連続されたスロット（ｓｌｏｔ）を通じて伝送しようとする時、前記パケットデータ使用者は相異なるパケットデータであることを区別することができる情報を必要とする。この時、これを区分することができる情報として前記付加情報を使用することができる。
【００１２】
二番目、パケットデータ使用者が受信したパケットデータを正確にデコーディング（ｄｅｃｏｄｉｎｇ）するのに失敗した場合、基地局に再伝送を要求し、基地局は前記再伝送要求に応答して同一のパケットデータを再伝送する。この時、再伝送されるデータは以前に伝送されたデータと同一であるにも拘わらず、符号率（Ｃｏｄｅ Ｒａｔｅ）と変調方式を相異なるようにして伝送されることができる。この時、初めに伝送されるデータであるか、再伝送されるデータであるかを区分するために前記付加情報を使用することができる。
【００１３】
三番目、基地局は伝送されるパケットのデータ率をパケットデータ使用者に知らせるべきであるが、前記付加情報を利用してこれを知らせることもできる。
【００１４】
四番目、前記付加情報は多数のパケットデータ使用者が基地局にパケットデータを伝送する逆方向リンクのデータ率を制御する共通制御情報に使用されることができる。また前記付加情報は特定グループ、または使用者のデータ率を制御するためにも使用されることができる。さらに、上述の場合以外に対しても付加情報ビットを利用して特定情報を伝送することができる。
【００１５】
図１は本発明の実施形態によるパケットデータサービスのための順方向リンク送信装置の構成を示している。
【００１６】
特に、前記図１の送信装置は本発明によってバーストパイロットデータ変調部（Ｂｕｒｓｔ Ｐｉｌｏｔ Ｄａｔａ Ｍｏｄｕｌａｔｉｏｎ）１０と直交拡散部（ｏｒｔｈｏｇｏｎａｌ ｓｐｒｅａｄｅｒ）２０を含む。０シンボルが受信されると、前記バーストパイロットデータ変調部１０は伝送しようとする情報ビットによってＩチャネル、またはＱチャネルに前記受信されたシンボルを位置させるか、または０、または１のシンボルに変換させる。変換されたシンボルは前記直交拡散部２０で予め設定されたバーストパイロットチャネルの直交符号（例：ウォルシュ（Ｗａｌｓｈ）符号）に拡散されチップ単位に出力される。一方、前記変調部１０ではなく前記直交拡散部２０を利用して付加情報を伝送する場合、前記直交拡散部２０で伝送する情報ビットによって予め設定された直交符号と前記付加情報を掛けて伝送することもできる。
【００１７】
前記図１を参照すると、すべて‘０’の値に構成されるプリアンブルシンボルは、信号点写像器（ｓｉｇｎａｌ ｐｏｉｎｔ ｍａｐｐｅｒ）２０１に入力され‘＋１’にマッピング（ｍａｐｐｉｎｇ）される。前記信号点写像器２０１の出力シンボルは、ウォルシュ拡散器（ｗａｌｓｈ ｓｐｒｅａｄｅｒ）２０２に入力され、使用者固有のＭＡＣ識別子（ＩＤ：Ｉｄｅｎｔｉｆｉｃａｔｉｏｎ）（またはインデックス）に該当される特定な６４−ａｒｙ双直交（ｂｉｏｒｔｈｏｇｏｎａｌ）ウォルシュ符号（またはシーケンス）により拡散される。前記ウォルシュ拡散器２０２はＩチャネルのシーケンス及びＱチャネルのシーケンスを出力する。前記ウォルシュ拡散器２０２の出力シーケンスは、シーケンス反復器（ｓｅｑｕｅｎｃｅ ｒｅｐｅａｔｅｒ）２０３に入力され伝送率（ｔｒａｎｓｍｉｓｓｉｏｎ ｒａｔｅ）によってシーケンス反復されるようになる。前記ウォルシュ拡散器２０２の出力シーケンスは、前記シーケンス反復器２０３により伝送率に応じて最大１６回まで反復されることができる。従って、データトラヒックチャネル（ＤＴＣＨ：Ｄａｔａ Ｔｒａｆｆｉｃ ＣＨａｎｎｅｌ）の１スロット内に含まれるバーストパイロットチャネルは、伝送率に応じて６４チップ（ｃｈｉｐ）から最大１、０２４チップまで持続されることができる。前記シーケンス反復器２０３の出力（Ｉ、Ｑ）シーケンスは、時分割マルチプレクサ（Ｔｉｍｅ Ｄｉｖｉｓｉｏｎ Ｍｕｌｔｉｐｌｅｘｅｒ）２３０に入力され、前記データトラヒックチャネル及び前記バーストパイロットチャネルとマルチプレクシングされる。
【００１８】
チャネルコーディングされたビットシーケンスはスクランブラ（ｓｃｒａｍｂｌｅｒ）２１１に入力されスクランブリング（ｓｃｒａｍｂｌｉｎｇ）される。前記スクランブラ２１１の出力シーケンスはチャネルインタリーバ（ｃｈａｎｎｅｌ ｉｎｔｅｒｌｅａｖｅｒ）２１２に入力されインタリービング（ｉｎｔｅｒｌｅａｖｉｎｇ）される。この時、物理階層パケットの大きさによって前記チャネルインタリーバ２１２の大きさが決定される。前記チャネルインタリーバ２１２の出力シーケンスはＭ−ａｒｙシンボル変調器（ｓｙｍｂｏｌ ｍｏｄｕｌａｔｏｒ）２１３に入力されＭ−ａｒｙシンボルにマッピングされる。前記Ｍ−ａｒｙシンボル変調器２１３は伝送率に応じてＱＰＳＫ（Ｑｕａｄｒａｔｕｒｅ Ｐｈａｓｅ Ｓｈｉｆｔ Ｋｅｙｉｎｇ）、８−ＰＳＫ（８−ａｒｙ Ｐｈａｓｅ Ｓｈｉｆｔ Ｋｅｙｉｎｇ）、または１６−ＱＡＭ（Ｑｕａｄｒａｔｕｒｅ Ａｍｐｌｉｔｕｄｅ Ｍｏｄｕｌａｔｉｏｎ）変調器として動作し、可変の伝送率を有する物理階層パケット単位に変調方法も変わることができる。前記Ｍ−ａｒｙシンボル変調器２１３から出力されるＭ−ａｒｙシンボルのＩ、Ｑシーケンスは、シーケンス反復／シンボル穿孔器（ｓｅｑｕｅｎｃｅ ｒｅｐｅａｔｅｒ／ｓｙｍｂｏｌ ｐｕｎｃｔｕｒｅｒ）２１４に入力され、伝送率によってシーケンス反復／シンボル穿孔される。前記シーケンス反復／シンボル穿孔器２１４から出力されるＭ−ａｒｙシンボルのＩ、Ｑシーケンスは、シンボルデマルチプレクサ（ｓｙｍｂｏｌ ｄｅｍｕｌｔｉｐｌｅｘｅｒ）２１５に入力される。前記シンボルデマルチプレクサ２１５に入力されたＭ−ａｒｙシンボルのＩ、Ｑシーケンスは、データトラヒックサブチャネル（ＤＴＳＣＨ：Ｄａｔａ Ｔｒａｆｆｉｃ Ｓｕｂ ＣＨａｎｎｅｌ）に使用可能なＮ個のウォルシュ符号チャネルにデマルチプレクシング（ｄｅｍｕｌｔｉｐｌｅｘｉｎｇ）され出力される。前記ＤＴＳＣＨに使用されるウォルシュ符号の個数Ｎは可変的であり、これに対する情報はウォルシュ空間指示サブチャネル（ＷＳＩＳＣＨ：Ｗａｌｓｈ Ｓｐａｃｅ Ｉｎｄｉｃａｔｉｏｎ Ｓｕｂ ｃｈａｎｎｅｌ）を通じてブロードキャスティング（ｂｒｏａｄｃａｓｔｉｎｇ）され、移動局（ＭＳ）はこの情報を考慮して基地局の伝送率を決定し、これを基地局に伝送する。従って、移動局は現在受信されたＤＴＳＣＨに使用されたウォルシュ符号の割り当て状況を知ることができる。Ｎ個のウォルシュ符号チャネルにデマルチプレクシングされ出力されるシンボルデマルチプレクサ２１５の出力、Ｉ、Ｑシンボルはウォルシュ拡散器２１６に入力され、チャネル別に特定ウォルシュ符号により拡散される。前記ウォルシュ拡散器２１６から出力されるＩ、Ｑシーケンスは、ウォルシュチャネル利得制御器（Ｗａｌｓｈ Ｃｈａｎｎｅｌ Ｇａｉｎ Ｃｏｎｔｒｏｌｌｅｒ）２１７に入力され利得制御される。前記ウォルシュチャネル利得制御器２１７から出力されるＩ、Ｑシーケンスは、ウォルシュチップ合算器（Ｗａｌｓｈ Ｃｈｉｐ Ｌｅｖｅｌ Ｓｕｍｍｅｒ）２１８に入力されチップ単位に合算される。前記ウォルシュチップ合算器２１８から出力されるＩ、Ｑチップシーケンスは、前記時分割マルチプレクサ２���０に入力され前記バーストパイロットチャネル及びプリアンブルサブチャネル（ＰＳＣＨ：Ｐｒｅａｍｂｌｅ Ｓｕｂ ｃｈａｎｎｅｌ）とマルチプレクシングされる。
【００１９】
バーストパイロットデータ変調部（Ｂｕｒｓｔ Ｐｉｌｏｔ Ｄａｔａ Ｍｏｄｕｌａｔｉｏｎ、以下、変調部）１０は基本的に、入力されるパイロットチャネルデータ（ａｌｌ ０’ｓ）をシグナルマッピング（０→＋１、１→−１）してパイロット変調シンボルを出力する。そして直交拡散部（ｏｒｔｈｏｇｏｎａｌ ｓｐｒｅａｄｅｒ）２０は前記変調部１０から出力される信号に予め設定された直交符号を掛けて直交拡散して出力する。このような過程中に、前記変調部１０は入力情報ビットによって前記パイロット変調シンボルの符号（または位相）を決定して出力する。例えば、前記入力情報ビットが０であると、正（＋）の符号を有するパイロット変調シンボルを出力し、前記入力情報ビットが１であると、負（−）の符号を有するパイロット変調シンボルを出力する。
【００２０】
一方、他の例として、前記変調部１０は入力パイロットチャネルデータを信号マッピングし、前記マッピングされた信号を複素チャネル（Ｃｏｍｐｌｅｘ Ｃｈａｎｎｅｌ）を構成する複数個のチャネル（Ｉチャネル及びＱチャネル）中、入力伝送情報ビットにより選択されたチャネルを通じて出力する。例えば、前記入力情報ビットが０であると、Ｉチャネルを通じて出力し、前記入力情報ビットが１であると、Ｑチャネルを通じて出力する。
【００２１】
このように、前記直交拡散部２０は前記変調器１０からのパイロット変調シンボルを予めバーストパイロットのため割り当てられた複数の直交符号中、入力情報ビットにより選択された所定の直交符号を有して拡散することによって付加情報を伝送することができる。
【００２２】
上述したように付加情報をバーストパイロットチャネルを通じて伝送する場合、前記バーストパイロットチャネルを通じて伝送される付加情報が前記バーストパイロットデータ変調部１０と前記直交拡散部２０で、どのように表現されるかを送信端と受信端が互いに予め約束すべきである。前記バーストパイロット変調部１０での伝送情報ビット（０または１）によるシンボル表現方法及び情報ビット割り当て方法は下記＜表１＞のようである。下記表１で記号“Ｘ”は送信端と受信端との相互約束により前記シンボルの位置及び符号が固定されていることを意味する。
【表１】
2004512728.tif 000003
【００２３】
図２はパケット（Ｐａｃｋｅｔ）データシンボルとバーストパイロットシンボルに構成された１．２５ｍｓｅｃ単位のスロット（ｓｌｏｔ）構造の一例を示している。図示されたように、一つのスロットは２個の１／２スロット（ｈａｌｆ ｓｌｏｔ）に構成され、バーストパイロットシンボルは１／２スロットの初めの部分に１２８チップの長さを有して構成される。前記図２のように、１２８チップのバーストパイロットシンボル１個が構成される場合、バーストパイロットシンボルの出力符号及び出力複素チャネルの位置によって最大２ビットの情報を伝送することができる。１ビットの情報を伝送するためには、シンボルの位相（＋／−）に情報を入れる第１方法、または変調シンボルが出力される複素チャネルの位置を決定する第２方法中の一つを選択することができる。以下、説明される図３Ａ乃至図３Ｃは前記図２のようなスロット構造の仮定下に説明されたものである。
【００２４】
図３Ａはバーストパイロットチャネルを通じて１個のパイロット変調シンボルが伝送される場合、前記パイロット変調シンボルの位相を決定することにより、１ビットの情報を伝送する場合を示す。前記パイロット変調シンボルは１２８チップの長さを有する。図３に示されたように、Ｉチャネルを通じて伝送される変調シンボルの符号（または位相）に情報を乗せる。例えば、情報ビットが０であると、前記変調シンボルの符号を正（または負）にして伝送し、情報ビットが１であると、変調シンボルの符号を負（または正）にして伝送する。この方法に、１ビット（ｂｉｔ）情報が伝送される。ここで、複素チャネル（ｃｏｍｐｌｅｘ ｃｈａｎｎｅｌ）中、Ｉチャネルを通じて伝送される変調シンボルの位相を利用して情報を伝送する場合を説明しているが、他の例として、Ｉチャネルの代わりにＱチャネルを通じて伝送される前記変調シンボルの位相を利用して情報を伝送することもできる。前記情報ビット値による変調シンボルの位相は予め固定（または指定）される。
【００２５】
図３Ｂはバーストパイロットチャネルを通じて１個のパイロット変調シンボルが伝送される場合、前記パイロット変調シンボルが出力される複素チャネルを決定することによって、１ビットの情報を伝送する場合を示す。
【００２６】
図３Ｂに示されたように、情報ビットに従って複素チャネル中、選択されたチャネル（Ｉチャネル、またはＱチャネル）を通じて情報を伝送する方法である。シンボルの出力符号を正（＋）に予め設定し、前記選択されたチャネル上にパイロットシンボルを発生する。例えば、情報ビットが０であると、パイロットシンボルを複素チャネル中、Ｉチャネル（またはＱチャネル）を通じて伝送し、情報ビットが１であると、パイロットシンボルをＱチャネル（またはＩチャネル）を通じて伝送する。この方法に、１ビット（ｂｉｔ）の情報を伝送することができる。前記情報ビット値に対する出力複素チャネルは、予め固定（指定）され、変調シンボルの符号も正（＋）の代わりに負（−）に予め設定して使用することができる。
【００２７】
図３Ｃはバーストパイロットチャネルを通じて１個のパイロット変調シンボルが伝送される場合、前記パイロット変調シンボルの位相及び出力複素チャネルを指定することにより、２ビットの情報を伝送する場合を示す。これは前記図３Ａと図３Ｂの方法を組み合わせた場合である。
【００２８】
図示されたように、１番目情報ビットに対応して変調シンボルの符号（または出力複素チャネル）を決定し、２番目情報ビットに対応して前記変調シンボルの出力複素チャネル（または位相）を決定する方法である。例えば、２情報ビットを伝送する場合、伝送される２情報ビット中、一番目情報ビットが０であると、変調シンボルの符号を正（または負）にして伝送し、一番目情報ビットが１であると、変調シンボルの符号を負（または正）にして伝送する。そして、二番目情報ビットが０であると、パイロット変調シンボルを複素チャネル中、Ｉチャネル（またはＱチャネル）を通じて伝送し、二番目情報ビットが１であると、パイロット変調シンボルを複素チャネル中、Ｑチャネル（またはＩチャネル）を通じて伝送する。
【００２９】
他の例として、伝送される２ビット情報中、一番目情報ビットが０であると、パイロット変調シンボルを複素チャネル中、Ｉチャネル（またはＱチャネル）を通じて伝送し、一番目情報ビットが１であると、前記パイロット変調シンボルをＱチャネル（またはＩチャネル）を通じて伝送する。二番目情報ビットが０であると、前記パイロット変調シンボルの符号を正（または負）にして伝送し、二番目情報ビットが１であると、前記パイロット変調シンボルの符号を負（または正）にして伝送する。
【００３０】
図４はパケット（Ｐａｃｋｅｔ）データシンボルとバーストパイロットシンボルに構成された１．２５ｍｓｅｃ単位のスロット（ｓｌｏｔ）構造の他の例を示している。図示されたように、一つのスロットは２個の１／２スロットに構成され、各バーストパイロットチャネルは１／２スロットの初めの部分に位置した６４チップの２個の連続されたバーストパイロットシンボルに構成される。前記図４のように、６４チップのバーストパイロットシンボル２個が構成される場合、パイロット変調シンボルの符号（または位相）及び変調シンボルを伝送する複素チャネルの選択を通じて最大４ビットの情報を伝送することができる。以下、説明される図５Ａ乃至図５Ｃは前記図４のようなスロット構造の仮定下に説明されたものである。
【００３１】
図５Ａはバーストパイロットチャネルを通じて２個のパイロット変調シンボルが伝送される場合、前記パイロット変調シンボルそれぞれに対して位相を指定することによって２ビットの情報を伝送する場合を示す。前記パイロット変調シンボルは６４チップの長さを有する。
【００３２】
図示されたように、１／２スロットの初めの部分に６４チップのバーストパイロットシンボル２個が構成された場合、２個のパイロット変調シンボルそれぞれの符号（または位相）を伝送される情報ビットによって決定して伝送する。ここで、パイロット変調シンボルを複素チャネル中、Ｉチャネルのみ利用して伝送するものに仮定する。例えば、２個の情報ビット中、一番目情報ビットが０であると、一番目パイロット変調シンボルの符号を正（または負）にして伝送し、一番目情報ビットが１であると、変調シンボルの符号を負（または正）にして伝送する。二番目情報ビットが０であると、二番目パイロット変調シンボルの符号を正（または負）にして伝送し、二番目情報ビットが１であると、前記パイロット変調シンボルの符号を負（または正）にして伝送する。即ち、一つのパイロット変調シンボル当たり１ビットの情報を伝送するので、２個のパイロット変調シンボル区間（１２８チップ）間、２個の情報ビットを伝送することができる。前記情報ビットの値による変調シンボルの位相は、予め正（＋）、または負（−）に固定して使用する。例えば、情報ビットが０であると正（＋）に、情報ビットが１であると負（−）に固定されることができる。
【００３３】
図５Ｂはバーストパイロットチャネルを通じて２個のパイロット変調シンボルが伝送される場合、前記パイロット変調シンボルそれぞれに対して出力複素チャネルを決定することにより、２ビットの情報を伝送する場合を示す。
【００３４】
図示されたように、２個のパイロット変調シンボルそれぞれに対して出力複素チャネルを分離して指定することにより情報ビットを伝送する。例えば、２個の情報ビット中、一番目情報ビットが０であると、一番目パイロット変調シンボルをＩチャネル（またはＱチャネル）を通じて伝送し、一番目情報ビットが１であると、前記一番目パイロット変調シンボルをＱチャネル（またはＩチャネル）を通じて伝送する。また、二番目情報ビットが０であると、二番目パイロット変調シンボルをＩチャネル（またはＱチャネル）を通じて伝送し、二番目情報ビットが１であると、前記二番目パイロット変調シンボルをＱチャネル（またはＩチャネル）を通じて伝送する。即ち、一つのパイロット変調シンボル当たり１個の情報ビットを６４チップ区間の間伝送するので、２個のパイロット変調シンボル区間（１２８チップ）間、２個の情報ビットを伝送することができる。
【００３５】
図５Ｃはバーストパイロットチャネルを通じて２個のパイロット変調シンボルが伝送される場合、前記パイロット変調シンボルそれぞれに対して位相及び出力複素チャネルを指定することにより、４ビットの情報を伝送する場合を示す。前記パイロット変調シンボルは６４チップの長さを有する。これは前記図５Ａと図５Ｂの方法を組み合わせた場合である。
【００３６】
図５Ｃに示されたように、パイロット変調シンボルの符号（または位相）及び複素チャネルを決定することによって、４ビットの情報を伝送している。ここで、情報ビットの値による変調シンボルの符号及び複素チャネルは予め決定して使用する。例えば、４個の情報ビットを伝送する場合、前記４個の情報ビット中、一番目情報ビットによって一番目パイロット変調シンボルの符号を負（−）、または正（＋）にして伝送し、二番目情報ビットによって前記一番目パイロット変調シンボルを複素チャネル中、Ｉチャネル、またはＱチャネルを通じて伝送する。そして、三番目情報ビットによって二番目パイロット変調シンボルの符号を負、または正に伝送し、四番目情報ビットによって前記二番目パイロット変調シンボルをＩ、またはＱチャネルを通じて伝送する。
【００３７】
一方、前述のように変調部１０ではなく、直交拡散部２０を使用して付加情報を伝送することもできる。一般的に、前記変調部１０で出力される変調シンボルは直交拡散部２０に入力される。前記直交拡散部２０はバーストパイロット変調シンボルを他の符号チャネル（ｃｏｄｅ ｃｈａｎｎｅｌ）と区分するために、所定の直交符号（例：ウォルシュ符号）に拡散させる。前記バーストパイロットチャネルのため予め定義した直交符号の数が１個であると、付加情報を伝送することができない。しかし、前記直交符号を２個使用すると、１ビットの情報を伝送することができる。もし、前記変調部１０で出力されるバーストパイロット変調シンボルを２ｎ個の直交符号中、一つを選択して拡散する場合には、ｎビットの情報を伝送することができる。ここで、２ｎ個の直交符号は送信端と受信端で事前に使用可能なものであると約束されているべきである。
【００３８】
図６Ａ乃至図６Ｂは本発明の他の実施形態によるバーストパイロットチャネルの拡散符号を利用して付加情報を伝送する方法を示す。
【００３９】
前記図６Ａはバーストパイロットチャネルを通じて１個のパイロット変調シンボルを伝送する場合、バーストパイロット変調部１０で出力されたパイロット変調シンボルを２個の直交符号中、伝送情報ビットによって選択された一つの直交符号により拡散するものを示す。２個の直交符号中のいずれかを使用するかは伝送情報ビットにより決定される。一つの変調シンボルを１２８チップに拡散させるためのｉ番目とｊ番目インデックス（ｉｎｄｅｘ）を有する直交符号をそれぞれＷ（１２８、ｉ）とＷ（１２８、ｊ）と定義する時、伝送しようとする情報ビットが０である場合、前記直交拡散部２０は前記変調部１０からの出力変調シンボルをＷ（１２８、ｉ）（またはＷ（１２８、ｊ））に拡散させ、伝送しようとする情報ビットが１である場合、Ｗ（１２８、ｊ）（またはＷ（１２８、ｉ））に拡散させ１ビットの情報を伝送する。
【００４０】
ここで、２ｎ個の直交符号中、一つを選択して拡散すると、ｎビットの情報を伝送することができ、図３Ａの方法と共に使用すると、ｎ＋１個の情報ビットを伝送することができる。同様に、図３Ｂの方法と共に使用すると、ｎ＋１個の情報ビットを伝送することができる。また図３Ｃの方法と共に使用すると、ｎ＋２個の情報ビットを伝送することができる。これは、前記図３Ｃに示したように変調部１０はパイロット変調シンボルに２個の情報ビットを乗せることができ、前述のような拡散方式によりｎ個の情報ビットをさらに乗せることができるためである。
【００４１】
前記図６Ｂはバーストパイロットチャネルを通じて２個のパイロット変調シンボルを伝送する場合、バーストパイロット変調部１０で出力される２個のパイロット変調シンボルをそれぞれ２個の直交符号中、伝送情報ビットによって選択された一つの直交符号を有して拡散することを示す。ここで、前記変調部１０で出力される変調シンボルは６４チップ長さの直交符号により拡散される。ｉ番目とｊ番目インデックス（ｉｎｄｅｘ）を有する直交符号をそれぞれＷ（６４、ｉ）とＷ（６４、ｊ）とし、２個の情報ビットを伝送しようとする時、前記２個の情報ビット中、一番目情報ビットが０である場合、直交拡散部２０は前記変調部１０からの一番目パイロット変調シンボルをＷ（６４、ｉ）（またはＷ（６４、ｊ））に拡散させ、伝送しようとする前記一番目情報ビットが１である場合、Ｗ（６４、ｊ）（またはＷ（６４、ｉ））に拡散させ１個の情報ビットを伝送する。そして、前記２個の情報ビット中、二番目情報ビットが０である場合、直交拡散部２０は前記変調部１０で出力される二番目パイロット変調シンボルをＷ（６４、ｉ）（またはＷ（６４、ｊ））に拡散させ、前記二番目情報ビットが１である場合、前記二番目パイロット変調シンボルをＷ（６４、ｊ）（またはＷ（６４、ｉ））に拡散させ１個の情報ビットを伝送する。
【００４２】
もし、２ｎ個の直交符号中、一つを選択して拡散すると、２ｎ個の情報ビットを伝送することができ、図５Ａの方法と共に使用すると、２ｎ＋２個の情報ビットを伝送することができる。同様に、図５Ｂの方法と共に使用すると、２ｎ＋２個の情報ビットを伝送することができ、図５Ｃの方法を共に使用すると、２ｎ＋４個の情報ビットを伝送することができる。
【００４３】
【発明の効果】
上述したように、本発明はバーストパイロット（ｂｕｒｓｔ ｐｉｌｏｔ）チャネルを通じて伝送されるパイロット変調シンボルの個数、前記パイロット変調シンボルが伝送される複素チャネル及び前記パイロット変調シンボルの符号、そして前記パイロットチャネルのため使用される直交拡散符号の個数によって、バーストパイロットチャネルを通じて復調のための振幅基準だけではなく、付加情報を伝送することができる利点がある。
【図面の簡単な説明】
【図１】本発明の実施形態によるパケットデータサービスのための順方向リンク送信装置の構成を示す図である。
【図２】パケット（Ｐａｃｋｅｔ）データシンボルとバーストパイロットシンボルに構成された１．２５ｍｓｅｃ単位のスロット（ｓｌｏｔ）構造の一例を示す図である。
【図３Ａ】本発明の一実施形態によるバーストパイロットチャネルを通じて１個のパイロット変調シンボルを伝送する場合、前記パイロット変調シンボルを利用して付加情報を伝送する多様な方法を示す図である。
【図３Ｂ】図３Ａと同様の図である。
【図３Ｃ】図３Ａと同様の図である。
【図４】パケット（Ｐａｃｋｅｔ）データシンボルとバーストパイロットシンボルに構成された１．２５ｍｓｅｃ単位のスロット（ｓｌｏｔ）構造の他の例を示す図である。
【図５Ａ】本発明の実施形態によるバーストパイロットチャネルを通じて２個のパイロット変調シンボルを伝送する場合、前記パイロット変調シンボルを利用して付加情報を伝送する多様な方法を示す図である。
【図５Ｂ】図５Ａと同様の図である。
【図５Ｃ】図５Ａと同様の図である。
【図６Ａ】本発明の実施形態によるバーストパイロット変調シンボルの拡散符号を利用して付加情報を伝送する多様な方法を示す図である。
【図６Ｂ】図６Ａと同様の図である。
【符号の説明】
１０　バーストパイロットデータ変調部
２０　直交拡散部
２０１　信号点写像器
２０２，２１６　ウォルシュ拡散器
２０３　シーケンス反復器
２１１　スクランブラ
２１２　チャネルインタリーバ
２１３　Ｍ−ａｒｙシンボル変調器
２１４　シーケンス反復／シンボル穿孔器
２１５　シンボルデマルチプレクサ
２１７　ウォルシュチャネル利得制御器
２１８　ウォルシュチップ合算器
２３０　時分割マルチプレクサ
【国際公開パンフレット】
2004512728.tif 000004
2004512728.tif 000005
2004512728.tif 000006
2004512728.tif 000007
2004512728.tif 000008
2004512728.tif 000009
2004512728.tif 000010
2004512728.tif 000011
2004512728.tif 000012
2004512728.tif 000013
2004512728.tif 000014
2004512728.tif 000015
2004512728.tif 000016
2004512728.tif 000017
2004512728.tif 000018
2004512728.tif 000019
2004512728.tif 000020
2004512728.tif 000021
2004512728.tif 000022
2004512728.tif 000023
2004512728.tif 000024
2004512728.tif 000025
2004512728.tif 000026
2004512728.tif 000027
2004512728.tif 000028
2004512728.tif 000029
2004512728.tif 000030
2004512728.tif 000031
2004512728.tif 000032
【国際調査報告】
2004512728.tif 000033
2004512728.tif 000034